(57)【要約】【課題】頭髪の見栄えを良くする。【解決手段】ヘアカット方法は、取出ステップと、支持ステップと、カットステップとをゆする。取出ステップでは、カットの対象となる頭髪の毛流方向が判別され、該頭髪の根元に位置し、毛流方向に沿って延びる細長い領域から毛束が取り出される。また、支持ステップでは、該毛束は、支持位置にて支持され、帯状に広がり、且つ、支持位置から該毛束の根元に向かう伸長方向に延びた状態とされる。また、カットステップは、支持された毛束が、伸長方向に対し傾斜する傾斜カットラインに沿ってカットされる。そして、該毛束における毛流方向の反対側の端部を、長手側とする。傾斜カットラインは、長手側に向かうに従い頭皮から遠ざかるように傾斜する。【選択図】図１
2018033896.tif 000002
【特許請求の範囲】
【請求項１】
被提供者の頭髪をカットするヘアカット方法であって、
カットの対象となる前記頭髪の延びる方向である毛流方向を判別すると共に、前記被提供者の頭皮における該頭髪の根元に位置し、前記毛流方向に沿って延びる細長い領域から、該頭髪の束である毛束を取り出す取出ステップと、
取り出した前記毛束を支持位置にて支持し、該毛束を、帯状に広がり、且つ、前記支持位置から該毛束の根元に向かう伸長方向に延びた状態とする支持ステップと、
支持された前記毛束を、前記伸長方向に対し傾斜する傾斜カットラインに沿ってカットするカットステップと、を備え、
支持された前記毛束における幅方向の端部のうち、前記毛流方向の反対側に位置する端部を長手側とし、前記傾斜カットラインは、前記長手側に向かうに従い、前記頭皮から遠ざかるように傾斜するラインである
ヘアカット方法。
【請求項２】
請求項１に記載のヘアカット方法において、
前記傾斜カットラインは、前記長手側に向かうに従い前記伸長方向に対して傾斜する度合いが小さくなる
ヘアカット方法。
【請求項３】
請求項１又は請求項２に記載のヘアカット方法において、
支持された前記毛束における前記幅方向の端部のうち、前記長手側の反対側に位置する端部を短手側とし、
前記カットステップにおいて、支持された前記毛束を、さらに、該毛束の前記短手側から前記傾斜カットラインの一端にかけて延びる段差カットラインに沿ってカットし、
前記段差カットラインは、前記伸長方向に直交するか、又は、前記長手側に向かうに従い前記頭皮に近づくように前記伸長方向に対し傾斜している
ヘアカット方法。
【請求項４】
請求項１から請求項３のうちのいずれか１項に記載のヘアカット方法において、
前記カットステップでは、曲がり鋏を用いてカットがなされ、
前記曲がり鋏は、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜している
ヘアカット方法。
【請求項５】
請求項４に記載のヘアカット方法において、
２つの前記柄部のうちの一方から他方に向かう方向を、捻り方向とし、
前記挿入面は、さらに、前記捻り方向に向かうに従い前記基準面に近づくように前記基準面に対し傾斜している
ヘアカット方法。
【請求項６】
頭髪をカットするための鋏である捻り付曲がり鋏であって、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜しており、
２つの前記柄部のうちの一方から他方に向かう方向を、捻り方向とし、
前記挿入面は、さらに、前記捻り方向に向かうに従い前記基準面に近づくように前記基準面に対し傾斜している
捻り付曲がり鋏。
【請求項７】
請求項６に記載の捻り付曲がり鋏において、
前記捻り付曲がり鋏は、被提供者の頭髪をカットする予め定められたヘアカット方法に用いられ、
前記ヘアカット方法は、
カットの対象となる前記頭髪の延びる方向である毛流方向を判別すると共に、前記被提供者の頭皮における該頭髪の根元に位置し、前記毛流方向に沿って延びる細長い領域から、該頭髪の束である毛束を取り出す取出ステップと、
取り出した前記毛束を支持位置にて支持し、該毛束を、帯状に広がり、且つ、前記支持位置から該毛束の根元に向かう伸長方向に延びた状態とする支持ステップと、
支持された前記毛束を、前記伸長方向に対し傾斜する傾斜カットラインに沿ってカットするカットステップと、を備え、
支持された前記毛束における幅方向の端部のうち、前記毛流方向の反対側に位置する端部を長手側とし、前記傾斜カットラインは、前記長手側に向かうに従い、前記頭皮から遠ざかるように傾斜するラインである
捻り付曲がり鋏。
【発明の詳細な説明】
【技術分野】
【０００１】
本開示は、頭髪をカットする技術、及び、頭髪のカットに用いられる鋏に関する。
【背景技術】
【０００２】
頭髪のカットにおいて、髪型を整えるため、すき鋏等を用いて毛量が調整される場合がある。しかし、髪質が縮毛である場合等には、すき鋏等を用いて毛量の調整を行った結果、頭髪の跳ね具合やうねり等が酷くなり、見栄えが悪化する場合がある。
【０００３】
これに対し、特許文献１には、すき鋏を用いること無く、頭髪の量を調整するヘアカット方法が記載されている。該ヘアカット方法では、頭皮における上下に延びる細長い領域から、一度にカット可能な量の毛束が取り出される。そして、該毛束の上側に向かうに従い頭髪が短くなるように、傾斜を付けて該毛束がカットされる。
【先行技術文献】
【特許文献】
【０００４】
【特許文献１】特許第５１９１６１４号公報
【発明の概要】
【発明が解決しようとする課題】
【０００５】
しかしながら、特許文献１のヘアカット方法を縮毛の頭髪に適用すると、毛先が外側に跳ねてしまい、その結果、見栄えが悪化するおそれがあった。
本開示は、頭髪の見栄えを良くすることを目的とする。
【課題を解決するための手段】
【０００６】
本開示の一側面に係るヘアカット方法は、被提供者の頭髪をカットする方法であって、取出ステップと、支持ステップと、カットステップと、を備える。取出ステップは、カットの対象となる頭髪の延びる方向である毛流方向を判別すると共に、被提供者の頭皮における該頭髪の根元に位置し、毛流方向に沿って延びる細長い領域から、該頭髪の束である毛束を取り出すステップである。また、支持ステップは、取り出した毛束を支持位置にて支持し、該毛束を、帯状に広がり、且つ、支持位置から該毛束の根元に向かう伸長方向に延びた状態とするステップである。また、カットステップは、支持された毛束を、伸長方向に対し傾斜する傾斜カットラインに沿ってカットするステップである。そして、支持された毛束における幅方向の端部のうち、毛流方向の反対側に位置する端部が、長手側とされる。傾斜カットラインは、長手側に向かうに従い、頭皮から遠ざかるように傾斜するラインである。
【０００７】
このような構成によれば、取出ステップで取り出された各毛束は、毛流方向側の頭髪の長さが、毛流方向の反対側の頭髪に比べ短くなる。その結果、毛束は、頭皮側にＣ字状に湾曲しながら毛流方向に延びる。このため、例えば、頭髪の髪質が縮毛である場合等に、頭髪がＳ字状にうねったり、外側に跳ねたりするのを抑制できる。したがって、頭髪の見栄えを良くすることができる。
【０００８】
なお、傾斜カットラインは、長手側に向かうに従い伸長方向に対して傾斜する度合いが小さくなっても良い。
このような構成によれば、取出ステップで取り出された各毛束を、適度にＣ字状に湾曲させることが可能となる。したがって、頭髪の見栄えをより良くすることができる。
【０００９】
また、支持された毛束における幅方向の端部のうち、長手側の反対側に位置する端部を、短手側としても良い。そして、カットステップにおいて、支持された毛束を、さらに、該毛束の短手側から傾斜カットラインの一端にかけて延びる段差カットラインに沿ってカットしても良い。また、段差カットラインは、伸長方向に直交するか、又は、長手側に向かうに従い頭皮に近づくように伸長方向に対し傾斜していても良い。
【００１０】
このような構成によれば、取出ステップで取り出された各毛束における傾斜カットラインに沿ってカットがなされた部分（以後、傾斜部分と記載）は、毛流方向に隣接する他の毛束の傾斜部分との間に間隔を有した状態となる。このため、各毛束における傾斜部分同士が絡むのを抑制でき、頭髪の手触りや指通りが良好になる。
【００１１】
また、カットステップでは、曲がり鋏を用いてカットがなされても良い。曲がり鋏は、２つの刃部と、２つの柄部とを備える。２つの刃部は、頭髪を挟んで切断する。また、２つの柄部は、それぞれの刃部の根元から延びる。また、２つの柄部は、それぞれ、指が配される挿入空間を有しており、挿入空間に配された指から加えられた力により、該柄部に繋がっている刃部を変位させることで、切断を行う。また、挿入空間は、予め定められた挿入面に沿って広がっている。また、２つの刃部における少なくとも先端を含む部分は、切断を行う際、予め定められた基準面に沿って変位する。そして、挿入面は、刃部の先端から離れるに従い基準面から遠ざかるように、基準面に対し傾斜している。
【００１２】
曲がり鋏により傾斜カットラインに沿って毛束をカットすることで、柄部の挿入面の向きを、伸長方向と直交する向きに近づけることが可能となる。これにより、より楽な体勢で鋏を持つことが可能となる。したがって、傾斜カットラインのカットが容易になる。
【００１３】
また、２つの柄部のうちの一方から他方に向かう方向を、捻り方向とし、挿入面は、さらに、捻り方向に向かうに従い基準面に近づくように基準面に対し傾斜していても良い。
このような捻り付の曲がり鋏により傾斜カットラインに沿って毛束をカットする場合、曲がり鋏の刃部を傾斜カットラインに沿わせた際に、柄部の挿入面が、伸長方向の右側又は左側に傾いた状態になる。このため、被提供者の頭髪をカットする提供者は、毛束の右下又は左下に手を配置して曲がり鋏を操作できる。したがって、より楽な体勢で鋏を持つことが可能となり、傾斜カットラインに沿ったカットが容易になる。
【００１４】
また、本開示の一側面に係る捻り付曲がり鋏は、頭髪をカットするための鋏である。捻り付曲がり鋏は、頭髪を挟んで切断する２つの刃部と、それぞれの刃部の根元から延びる２つの柄部と、を備える。２つの柄部は、それぞれ、指が配される挿入空間を有しており、挿入空間に配された指から加えられた力により、該柄部に繋がっている刃部を変位させることで、切断を行う。また、挿入空間は、予め定められた挿入面に沿って広がっている。また、２つの刃部における少なくとも先端を含む部分は、切断を行う際、予め定められた基準面に沿って変位する。また、挿入面は、刃部の先端から離れるに従い基準面から遠ざかるように、基準面に対し傾斜している。そして、２つの柄部のうちの一方から他方に向かう方向を、捻り方向とし、挿入面は、さらに、捻り方向に向かうに従い基準面に近づくように基準面に対し傾斜している。
【００１５】
このような捻り付曲がり鋏を操作する際の手と刃部との位置関係は、通常の鋏を操作する際の該位置関係とは異なるものとなる。このため、通常の鋏ではカットするのが困難なカットラインであっても、捻り付曲がり鋏を使用することで、楽な体勢でカットを行うことが可能となる。つまり、従来はカットが困難であったカットラインであっても、捻り付曲がり鋏を使用することで、より正確且つ容易にカットを行うことが可能となる。このため、頭髪の見栄えを良くすることが可能となる。
【００１６】
なお、捻り付曲がり鋏は、被提供者の頭髪をカットする予め定められたヘアカット方法に用いられても良い。すなわち、ヘアカット方法とは、取出ステップと、支持ステップと、カットステップとを備える。取出ステップとは、カットの対象となる頭髪の延びる方向である毛流方向を判別すると共に、被提供者の頭皮における該頭髪の根元に位置し、毛流方向に沿って延びる細長い領域から、該頭髪の束である毛束を取り出すステップである。また、支持ステップとは、取り出した毛束を支持位置にて支持し、該毛束を、帯状に広がり、且つ、支持位置から該毛束の根元に向かう伸長方向に延びた状態とするステップである。また、カットステップとは、支持された毛束を、伸長方向に対し傾斜する傾斜カットラインに沿ってカットするステップである。また、支持された毛束における幅方向の端部のうち、毛流方向の反対側に位置する端部を長手側とする。傾斜カットラインは、長手側に向かうに従い、頭皮から遠ざかるように傾斜するラインである。
【００１７】
このような捻り付曲がり鋏により傾斜カットラインに沿って毛束をカットする場合、捻り付曲がり鋏の刃部を傾斜カットラインに沿わせた際に、柄部の挿入面が、伸長方向の右側又は左側に傾いた状態になる。このため、被提供者の頭髪をカットする提供者は、毛束の右下又は左下に手を配置して捻り付曲がり鋏を操作できる。したがって、より楽な体勢で鋏を持つことが可能となり、傾斜カットラインに沿ったカットが容易になる。
【図面の簡単な説明】
【００１８】
【図１】図１Ａは、ヘアカットがなされる被提供者の頭皮についての説明図である。図１Ｂは、第１実施形態のヘアカット方法のフローチャートである。
【図２】第１実施形態における支持状態の毛束の説明図である。
【図３】第１実施形態における傾斜カットラインの説明図である。
【図４】図４Ａは、第１実施形態における曲がり鋏の平面図である。図４Ｂは、該曲がり鋏の側面図である。
【図５】図５Ａは、第１実施形態における曲がり鋏の使用態様の説明図である。図５Ｂは、第１実施形態における捻り付曲がり鋏の平面図である。
【図６】図６Ａ，６Ｂは、第１実施形態における捻り付曲がり鋏の側面図である。
【図７】図７は、第１実施形態における捻り付曲がり鋏の使用態様の説明図である。
【図８】第１実施形態のヘアカット方法による頭髪のうねりの抑制効果についての説明図である。
【図９】第２実施形態における傾斜カットライン及び段差カットラインの説明図である。
【発明を実施するための形態】
【００１９】
以下、図面を参照しながら、本開示を実施するための形態を説明する。
［第１実施形態］
［１．概要について］
第１実施形態のヘアカット方法は、縮毛による頭髪の跳ねやうねり等を抑制するための方法である。縮毛とは、縮れた状態となっている頭髪を意味する。該ヘアカット方法によれば、生来の髪質が縮毛である場合、及び、パーマをかけることにより縮毛となった場合に、跳ねやうねり等が抑制される。以後、頭髪のカットを行う者を提供者と記載し、提供者により頭髪がカットされる者を被提供者と記載する。また、被提供者の頭部における頭髪が生えている部分を、頭皮と記載する。
【００２０】
図１Ａに示すように、被提供者の頭皮１は、Ａ〜Ｃゾーン１０〜３０の３つの領域を有する。そして、領域に応じた方法で頭髪がカットされる。まず、Ａ〜Ｃゾーン１０〜３０の設定方法について説明する。
【００２１】
頭皮１は、ハチと呼ばれる部分を有する。ハチとは、頭皮１において、側頭部及び後頭部と頂部との間の境界、又は該境界付近に位置し、側方に張り出している領域である。ここで、被提供者の額における左右両側の縁部を、側縁と記載する。ハチは、被提供者の額における一方の側縁から、左右の側頭部と後頭部とを横断して他方の額の側縁に至るように延びる細長い部分である。図１Ａにおけるハチライン２は、ハチの位置を示す。また、頭皮１は、ぼんのくぼ３と呼ばれる部分を有する。ぼんのくぼ３とは、後頭部における最も窪んでいる部分である。
【００２２】
Ａゾーン１０は、Ａ／Ｂライン５の下側に位置する。ここで、額の側縁におけるハチラインの端部よりもやや下方の位置（一例として、該端部のおよそ１ｃｍ下方の位置）を、Ａ／Ｂライン端部と記載する。Ａ／Ｂライン５は、なだらかな曲線を描きながら、一方の額の側縁におけるＡ／Ｂライン端部から、ぼんのくぼ３に至る。さらに、Ａ／Ｂライン５は、同様の曲線を描きながら、ぼんのくぼ３から他方の額の側縁におけるＡ／Ｂライン端部まで延びる。
【００２３】
また、Ｂゾーン２０は、Ｂ／Ｃライン６とＡ／Ｂライン５との間に位置する。ここで、額の側縁におけるハチライン２の端部よりもやや上方の位置（一例として、該端部のおよそ１ｃｍ上方の位置）を、Ｂ／Ｃライン端部と記載する。Ｂ／Ｃライン６は、ハチライン２の上側に位置する。Ｂ／Ｃライン６は、ハチライン２に対し一定又は略一定の間隔を開けて、一方の額の側縁におけるＢ／Ｃライン端部から、他方の額の側縁におけるＢ／Ｃライン端部まで延びる。
【００２４】
また、Ｃゾーン３０は、Ｂ／Ｃライン６の上方に位置する。
［２．ヘアカット方法について］
次に、図１Ｂにより、第１実施形態のヘアカット方法について詳しく説明する。該ヘアカット方法は、Ｓ１００〜Ｓ１１０のステップを有する。提供者は、被提供者の頭髪をカットする際、これらのステップを、１回、又は、複数回にわたって実行する。この時、該ヘアカット方法は、Ａ〜Ｃゾーン１０〜３０の全部又は一部のゾーンにおける頭髪に対し適用される。また、該ヘアカット方法は、各ゾーンにおける全部又は一部の頭髪に適用される。
【００２５】
Ｓ１００では、提供者は、被提供者の頭髪のうち、カットの対象となる部分を特定すると共に、該部分をなす頭髪の延びる方向である毛流方向を判別する。毛流方向は、例えば、被提供者の頭髪の生える向きや髪型等に応じて定められる。具体的には、例えば、被提供者の生来の頭髪が生える向き等により自然に定められる頭髪の延びる方向を、毛流方向としても良い。また、例えば、被提供者等が望む髪型に応じて定められる頭髪の延びる方向を、毛流方向としても良い。なお、Ａ，Ｂゾーン１０，２０の頭髪の毛流方向は、一例として、下方に向かう方向となっても良い。また、Ｃゾーン３０の頭髪の毛流方向は、一例として、前方、後方、側方、又は、下方に向かう方向となっても良い。
【００２６】
そして、提供者は、毛流方向を判別した頭髪の根元に位置し、該毛流方向に沿って延びる細長い領域（以後、取出領域と記載）に生えている頭髪の束である毛束を取り出す。なお、この時、取出領域に生えている全ての頭髪を取り出すのが好適である。また、取出領域の幅は、一例として１ｃｍ程度であっても良い。具体例を挙げると、提供者は、毛流方向を判別した頭髪の根元に、該毛流方向、又は、該毛流方向の反対向きの方向に沿って、利き手でない手（換言すれば、鋏を持っていない方の手）の人差し指と中指とを入れても良い。この時、人差し指と中指とは、間隔（一例として１ｃｍ程度）を開けて延びた状態となっている。このため、これらの指の間に頭髪が入り込む。そして、提供者は、これらの指で該頭髪を挟持し、挟持した該頭髪を毛束として取り出しても良い。なお、この場合、取出領域の長さは、提供者の人差し指及び中指の長さと同程度となる。
【００２７】
続くＳ１０５では、提供者は、図２に示すように、取り出した毛束２００を、毛束の先端又は先端付近に位置する支持位置２０３にて支持する。支持された毛束２００は、帯状に広がった状態で、支持位置２０３から該毛束の根元に向かう伸長方向２０５に延びた状態（以後、支持状態）になる。なお、この時、該毛束２００の幅と取出領域の長さとは、同程度となっていても良い。
【００２８】
具体的には、上述した方法で利き手でない手の人差し指及び中指により毛束２００を取り出した場合には、一例として、提供者は、毛束２００を挟持していた人差し指及び中指５０を、そのまま支持位置２０３まで移動させても良い。そして、提供者は、支持位置２０３にて毛束２００を挟持し、毛束２００を支持状態としても良い。この時、支持位置２０３では、毛束２００は人差し指及び中指５０により両面から挟持される。このため、該毛束２００の幅は、提供者の人差し指及び中指５０の長さと同程度となる。また、この時、毛束２００を挟持する提供者の手の甲は、毛束２００の上側又は下側に位置する。また、毛束２００に含まれる各頭髪は、該頭髪が生えている位置から、同方向又は略同方向に向かって、直線又は略直線状に延びた状態となるのが望ましい。また、図２では、一例として、毛束２００の幅方向が、毛流方向２０６と一致している。しかしながら、伸長方向２０５の向きによっては、毛束２００の幅方向が毛流方向２０６と一致しない場合も想定される。
【００２９】
ここで、支持状態となった毛束における伸長方向の反対の方向を、取出方向と記載する。図１Ａに示すように、提供者の頭皮１のＡゾーン１０から取り出され、支持状態となった毛束の取出方向４０と、鉛直方向の下側に向かう方向４１との角度４０ａは、およそ０°〜９０°の範囲となる。また、Ｂゾーン２０から取り出され、支持状態となった毛束の取出方向４２と、鉛直方向の下側に向かう方向４１との角度４２ａは、およそ１５°〜１２０°の範囲となる。また、Ｃゾーン３０から取り出され、支持状態となった毛束の取出方向４３と、被提供者の前方に水平に延びる方向４４との角度４３ａは、およそ１５°〜９０°の範囲となる。なお、Ｃゾーン３０における頭皮１のトップ（換言すれば、頭頂部）においては、角度４３ａの最大値は９０°を超えても良い。
【００３０】
続くＳ１１０では、提供者は、図３に示すように、支持状態の毛束２００を、伸長方向２０５に対し傾斜する傾斜カットライン２１０に沿ってカットする。この時、提供者は、小刻みに鋏を開閉することでカットを行っても良い。これにより、頭髪へのダメージが抑制される。
【００３１】
ここで、支持状態の毛束２００における幅方向の端部のうち、毛流方向２０６側に位置するものを短手側２０１と記載し、毛流方向２０６の反対側に位置するものを長手側２０２と記載する。また、該毛束２００の幅をＨと記載する。
【００３２】
傾斜カットライン２１０は、長手側２０２に向かうに従い頭皮から遠ざかるように、伸長方向２０５に対して傾斜している。一例として、図３では、傾斜カットライン２１０は、長手側２０２に向かうにつれ、伸長方向２０５に対する角度が小さくなっている。換言すれば、傾斜カットライン２１０は、長手側２０２に向かうにつれ、伸長方向２０５に対して傾斜する度合いが小さくなっている。なお、傾斜カットライン２１０は、一定の度合いで伸長方向２０５に対して傾斜していても良い。すなわち、傾斜カットライン２１０は、直線状又は略直線状に延びていても良い。
【００３３】
傾斜カットライン２１０は、Ａ点２１１〜Ｄ点２１４を有する。Ａ点２１１は、短手側２０１に位置する。また、Ａ点２１１とＢ点２１２との間の幅方向の距離Ｈａｂの範囲は、およそＨ／３〜Ｈ／２となる。また、Ｂ点２１２とＣ点２１３との間の幅方向の距離Ｈｂｃは、およそ（Ｈ−Ｈａｂ）／３となる。また、Ｄ点２１４は、長手側２０２における毛先又は毛先の付近に位置する。
【００３４】
そして、傾斜カットライン２１０において、Ａ点２１１からＢ点２１２までの区間をＡＢ区間と、Ｂ点２１２からＣ点２１３までの区間をＢＣ区間と、Ｃ点２１３からＣ´点２１３ａまでの区間をＣＣ´区間と、Ｃ´点２１３ａからＤ点２１４までの区間をＣ´Ｄ区間と記載する。これらの区間は、直線状又は略直線状に延びている。また、第１実施形態では、一例として、ＡＢ区間の伸長方向２０５に対する角度ａはおよそ４５°、ＢＣ区間の伸長方向２０５に対する角度ｂはおよそ３０°、ＣＣ´区間の伸長方向２０５に対する角度ｃはおよそ１５°となっている。また、ＣＣ´区間の長さは、Ｃ点２１３とＤ点２１４とを結ぶ直線の距離のおよそ２〜３％の長さとなる。そして、Ｃ´Ｄ区間の伸長方向２０５に対する角度は、角度ｃよりも小さい。
【００３５】
提供者は、ＡＢ区間，ＢＣ区間，ＣＣ´区間，Ｃ´Ｄ区間の順番でカットを行う。Ｃ´点までカットがなされた後は、Ｄ点２１４に向かって、伸長方向２０５に対しやや傾斜を有した向きにカットがなされる。
【００３６】
また、被提供者の毛量に応じて、以下のように傾斜カットラインの位置又は形状を調整しても良い。これにより、毛量が増えるに従いより多くの頭髪がカットされる。その結果、毛量を調整しつつ、好適にうねり等を抑制できる。
【００３７】
具体的には、支持状態の毛束２００における伸長方向２０５の長さを、Ｌとする。そして、該毛束２００において、根元から伸長方向におよそＬ／６離れた位置をＬ１と、根元から伸長方向におよそ２×Ｌ／６離れた位置をＬ２と、根元から伸長方向におよそ３×Ｌ／６離れた位置をＬ３と記載する。
【００３８】
被提供者の毛量が多い場合には、支持状態の毛束２００におけるＬ１からＬ２の間の区間２２１に、点Ａを設定しても良い。また、被提供者の毛量が標準的である場合には、該毛束２００におけるＬ２からＬ３の間の区間２２０に、点Ａを設定しても良い。なお、この時、点Ａの位置に応じて、ＨやＨａｂの長さ等が調整される。
【００３９】
さらに、被提供者の毛量が少ない場合には、傾斜カットラインにＡ点を設けず、Ｂ〜Ｄ点を設けるようにしても良い。具体的には、提供者は、短手側２０１における区間２２０に、Ｂ点を設定しても良い。また、提供者は、角度ｂが３０°、ＨｂｃがおよそＨ／３となるように、Ｃ点を設定しても良い。また、提供者は、角度ｃがおよそ１５°、ＣＣ´区間の長さがＣ点とＤ点とを結ぶ直線の距離のおよそ２〜３％の長さとなるように、Ｃ´点を設定しても良い。また、提供者は、長手側２０２における毛先又はその付近にＤ点を設定しても良い。なお、この時、Ｃ´Ｄ区間の伸長方向２０５に対する角度は、角度ｃよりも小さくなる。
【００４０】
そして、提供者は、ＢＣ区間，ＣＣ´区間，Ｃ´Ｄ区間の順番でカットを行う。Ｃ´点までカットがなされた後は、Ｄ点２１４に向かって、伸長方向２０５に対しやや傾斜を有した向きにカットがなされる。
【００４１】
［３．曲がり鋏について］
第１実施形態のヘアカット方法のＳ１１０において、傾斜カットライン２１０に沿って頭髪をカットする際、図４Ａ，４Ｂの曲がり鋏３００が用いられても良い。
【００４２】
曲がり鋏３００は、２つの第１，第２刃部３１０，３１１と、２つの第１，第２柄部３２０，３３０と、軸部３４０とを有する。
第１，第２刃部３１０，３１１は、直線状に延びており、その根元にて軸部３４０に取り付けられる。第１，第２刃部３１０，３１１は、軸部３４０を中心に回転する向きに変位することで、頭髪を挟んで切断する。この時、第１，第２刃部３１０，３１１は、基準面３５０に沿って変位する。基準面３５０は、一例として平面となっている。
【００４３】
一方、第１柄部３２０は、第１刃部３１０の根元側の端部から延びている。また、第２柄部３３０は、第２刃部３１１の根元側の端部から延びている。第１，第２柄部３２０，３３０は、それぞれ、提供者の指が配される挿入空間３２１，３３１を有する。各柄部の挿入空間３２１，３３１は、予め定められた挿入面３２１ａ，３３１ａに沿って広がる扁平な空間である。挿入面３２１ａ，３３１ａは、一例として平面となっている。
【００４４】
第１柄部３２０の挿入空間３２１は、環状の部位である指入部３２２により囲まれている。また、第２柄部３３０の挿入空間３３１は、Ｃ字状に湾曲した細長い部位である指入部３３２により囲まれている。なお、一例として、第１柄部３２０の挿入空間３２１には、人差し指、中指、又は、薬指が配され、第２柄部３３０の挿入空間３３１には親指が配されても良い。２つの柄部３２０，３３０は、挿入空間に配された指から加えられた力により、２つの刃部３１０，３１１を、軸部３４０を中心に回転する向きに変位させる。これにより、頭髪が切断される。
【００４５】
そして、第１，第２柄部３２０，３３０は、それぞれ、指入部３２２，３３２の刃部３１０，３１１側に位置する屈曲点３２３，３３３にて屈曲している。つまり、これらの柄部の挿入空間に係る挿入面３２１ａ，３３１ａは、基準面３５０に対して傾斜した状態となる。挿入面３２１ａ，３３１ａは、根元側方向に向かうに従い、基準面３５０から遠ざかるように基準面３５０に対し傾斜する。根元側方向とは、第１，第２刃部３１０，３１１の先端から根元に向かう方向を意味する。換言すれば、挿入面３２１ａ，３３１ａは、第１，第２刃部３１０，３１１の先端から離れるに従い、基準面３５０から遠ざかるように基準面３５０に対し傾斜する。
【００４６】
ここで、第１柄部３２０に対応する挿入面３２１ａと基準面３５０とが交差する角度を、θ１とする。また、第２柄部３３０に対応する挿入面３３１ａと基準面３５０とが交差する角度を、θ２とする。θ１，θ２は、一例として、およそ２０°〜４０°の範囲とすることが考えられる。一例として、角度θ１，θ２は、およそ３０°であっても良い。また、第１実施形態では、θ１とθ２とは同じ角度となっているが、これらは、異なる角度であっても良い。
【００４７】
なお、曲がり鋏３００は、第１，第２刃部３１０，３１１に設けられた屈曲点で屈曲していても良い。この場合、頭髪を切断する際、第１，第２刃部３１０，３１１における屈曲点よりも先端側の部分と、屈曲点よりも根元側の部分とは、異なる基準面に沿って変位する。そして、挿入面３２１ａ，３２２ａは、該先端側の部分に対応する基準面に対し、同様にして傾斜した状態となる。
【００４８】
次に、図５Ａにより、曲がり鋏３００を用いて、毛束２００の傾斜カットライン２１０に沿ってカットを行う場合の使用態様を説明する。提供者は、挿入面３２１ａ，３３１ａが、基準面３５０に対し毛先側に傾斜した状態にして、曲がり鋏３００を使用するのが好適である。
【００４９】
［４．捻り付曲がり鋏について］
第１実施形態のヘアカット方法のＳ１１０において、上述した曲がり鋏３００に替えて、図５Ｂ，６Ａ，６Ｂにおける捻り付曲がり鋏４００が用いられても良い。なお、該捻り付曲がり鋏４００は、提供者が右手で使用することを想定した右利き用の構成を有する。
【００５０】
捻り付曲がり鋏４００は、２つの第１，第２刃部４１０，４１１と、２つの第１，第２柄部４２０，４３０と、軸部４４０とを有する。
第１，第２刃部４１０，４１１、及び、軸部４４０は、曲がり鋏３００の第１，第２刃部３１０，３１１、及び、軸部３４０と同様の構成を有する。頭髪を切断する際、第１，第２刃部４１０，４１１は、基準面４５０に沿って変位する。基準面４５０は、一例として平面となっている。
【００５１】
また、曲がり鋏３００の第１，第２柄部３２０，３３０と同様、第１柄部４２０は第１刃部４１０の根元側の端部から、第２柄部４３０は第２刃部４１１の根元側の端部からそれぞれ延びている。第１，第２柄部４２０，４３０は、それぞれ、提供者の指が配される挿入空間４２１，４３１を有する。各柄部の挿入空間４２１，４３１は、予め定められた挿入面４２１ａ，４３１ａに沿って広がる扁平な空間である。挿入面４２１ａ，４３１ａは、一例として平面となっている。
【００５２】
第１柄部４２０の挿入空間４２１、及び、第２柄部４３０の挿入空間４３１は、それぞれ、環状の部位である指入部４２２，４３２により囲まれている。また、曲がり鋏３００と同様、一例として、第１柄部４２０の挿入空間４２１には、人差し指、中指、又は、薬指が配され、第２柄部４３０の挿入空間４３１には親指が配されても良い。そして、２つの柄部４２０，４３０は、曲がり鋏３００の第１，第２柄部３２０，３３０と同様にして２つの刃部４１０，４１１を変位させ、これにより、頭髪が切断される。
【００５３】
そして、図６Ａが示すように、曲がり鋏３００と同様、第１，第２柄部４２０，４３０は、それぞれ、指入部４２２，４３２の刃部４１０，４１１側に位置する屈曲点４２３，４３３にて屈曲している。つまり、これらの柄部の挿入空間に係る挿入面４２１ａ，４３１ａは、曲がり鋏３００と同様にして、基準面４５０に対して傾斜した状態となる。挿入面４２１ａ，４３１ａは、第１，第２刃部４１０，４１１の先端から離れるに従い、基準面４５０から遠ざかるように基準面４５０に対し傾斜する。
【００５４】
なお、図６Ａにおける４２１ａは、第１柄部４２０の挿入面における、屈曲点４２３から第１柄部４２０の伸長方向に延びる部分を示す。また、図６Ａにおける４３１ａは、第２柄部４３０の挿入面における、屈曲点４３３から第２柄部４３０の伸長方向に延びる部分を示す。
【００５５】
また、第１柄部４２０は、第１，第２柄部４２０，４３０が屈曲する方向に向かって第２柄部４３０の右側に位置する。また、第１柄部４２０に対応する挿入面４２１ａと基準面４５０とが交差する角度θ１と、第２柄部４３０に対応する挿入面４３１ａと基準面４５０とが交差する角度θ２は、曲がり鋏３００と同様としても良い。また、曲がり鋏３００と同様、捻り付曲がり鋏４００は、第１，第２刃部４１０，４１１に設けられた屈曲点で屈曲していても良い。
【００５６】
ここで、第２柄部４３０から第１柄部４２０に向かう方向を、捻り方向４６０とする。なお、捻り方向４６０とは、基準面４５０に沿って第２柄部４３０から第１柄部４２０に向かう方向であっても良い。すなわち、第１，第２刃部４１０，４１１が完全に閉じられている時に、基準面４５０に沿って第１，第２刃部４１０，４１１が延びる方向を、伸長方向４５１とする。換言すれば、伸長方向４５１とは、基準面４５０に沿って、軸部４４０から、完全に閉じられている第１，第２刃部４１０，４１１の先端に向かう方向である。捻り方向４６０とは、基準面４５０に沿って伸長方向４５１と直交する方向であっても良い。
【００５７】
そして、図６Ｂが示すように、挿入面４２１ａ，４３１ａは、さらに、捻り方向４６０に向かうに従い基準面４５０に近づくように、基準面４５０に対して傾斜している。なお、図６Ｂにおける４２１ａは、第１柄部４２０の挿入面における、挿入空間４２１の中央を捻り方向４６０に延びる部分を示す。また、図６Ｂにおける４３１ａは、第２柄部４３０の挿入面における、挿入空間４３１の中央を捻り方向４６０に延びる部分を示す。
【００５８】
換言すれば、第１柄部４２０の挿入面４２１ａと基準面４５０との交線が、捻り方向４６０に向かうに従い第１，第２刃部４１０，４１１の先端から遠ざかるように、挿入面４２１ａは基準面４５０に対して傾斜している。また、第２柄部４３０の挿入面４３１ａと基準面４５０との交線が、捻り方向４６０に向かうに従い該先端から遠ざかるように、挿入面４３１ａは基準面４５０に対して傾斜している。また、第１柄部４２０の挿入面４２１ａと基準面４５０との捻り方向４６０の角度を、捻り角度θ３とする。また、第２柄部４３０の挿入面４３１ａと基準面４５０との捻り方向４６０の角度を、捻り角度θ４とする。θ３及びθ４は、１０°〜６０°の範囲のいずれかの値となっている。さらに好ましくは、θ３及びθ４は、２０°〜４５°の範囲のいずれかの値であっても良い。
【００５９】
なお、提供者が左手で使用することを想定した左利き用の捻り付曲がり鋏４００は、一例として、第１柄部４２０の挿入空間４２１には、親指が配され、第２柄部４３０の挿入空間４３１には人差し指、中指、又は、薬指が配されても良い。また、左利き用の捻り付曲がり鋏４００は、右利き用とは反対向きに捻り方向が設定される。そして、挿入面４２１ａ，４３１ａは、右利き用の捻り付曲がり鋏４００と同様にして、さらに、捻り方向に向かうに従い基準面４５０に近づくように、基準面４５０に対して傾斜している。
【００６０】
次に、図７により、右利き用の捻り付曲がり鋏４００を用いて、毛束２００の傾斜カットライン２１０に沿ってカットを行う場合の使用態様を説明する。提供者は、挿入面４２１ａ，４３１ａが基準面４５０に対し毛先側に傾斜した状態にして該捻り付曲がり鋏４００を使用するのが好適である。この時、挿入面４２１ａ，４３１ａ（換言すれば、挿入空間４２１，４３１）は、伸長方向２０５に向かって右方に傾いた状態となる。
【００６１】
［５．効果］
第１実施形態によれば、以下の効果が得られる。
（１）第１実施形態のヘアカット方法によれば、Ｓ１００にて取り出された毛束は、毛流方向側の頭髪の長さが、毛流方向の反対側の頭髪に比べ短くなる。図８の毛束５００は、毛流方向５０１に直交する向きに並ぶ、Ｓ１００にて取り出された毛束の集合を示している。図８に示すように、該ヘアカット方法を施した結果、毛束５００は、毛流方向５０１にＣ字状に湾曲する。これにより、毛束５００は、頭皮側にＣ字状に湾曲しながら毛流方向に延びる。このため、例えば、頭髪の髪質が縮毛である場合等に、毛束５００がＳ字状にうねったり、外側に跳ねたりするのを抑制できる。したがって、頭髪の見栄えを良くすることができる。
【００６２】
（２）また、傾斜カットライン２１０は、長手側２０２に向かうに従い、伸長方向２０５に対する角度が小さくなる。このため、Ｓ１００で取り出された各毛束を、適度にＣ字状に湾曲させることが可能となる。したがって、頭髪の見栄えをより良くすることができる。
【００６３】
（３）また、曲がり鋏３００が用いられた場合には、曲がり鋏３００の柄部３２０，３３０における挿入面３２１ａ，３３１ａの向きを、伸長方向と直交する向きに近づけることが可能となる。このため、提供者は、より楽な体勢で鋏を持つことが可能となる。したがって、傾斜カットライン２１０に沿ったカットが容易になる。
【００６４】
（４）また、捻り付曲がり鋏４００を用いて傾斜カットライン２１０に沿ってカットする場合、第１，第２刃部４１０，４１１を傾斜カットライン２１０に沿わせた際に、第１，第２柄部４２０，４３０の挿入面４２１ａ，４３１ａが、伸長方向２０５に向かって右側に傾いた状態になる。このため、提供者は、毛束２００の右下に右手を配置して捻り付曲がり鋏４００を操作できる。したがって、より楽な体勢で鋏を持つことが可能となり、カットが容易になる。
【００６５】
（５）さらに、捻り付曲がり鋏４００を操作する右手と刃部との位置関係は、通常の鋏を操作する際の該位置関係とは異なるものとなる。このため、通常の鋏ではカットするのが困難なカットラインであっても、捻り付曲がり鋏４００を使用することで、楽な体勢でカットを行うことが可能となる。つまり、従来はカットが困難であったカットラインであっても、捻り付曲がり鋏４００を使用することで、より正確且つ容易にカットを行うことが可能となる。このため、頭髪の見栄えを良くすることが可能となる。
【００６６】
［第２実施形態］
［１．相違点について］
第２実施形態のヘアカット方法は、基本的な構成は第１実施形態と同様であるため、相違点について以下に説明する。なお、第１実施形態と同じ符号は、同一の構成を示すものであって、先行する説明を参照する。
【００６７】
第２実施形態のヘアカット方法は、Ｓ１１０において、第１実施形態のヘアカット方法と相違する。すなわち、図９に示すように、第２実施形態では、支持状態の毛束２００に対し、傾斜カットライン２１０に加え、段差カットライン２３０が設けられる。段差カットライン２３０は、毛束２００の伸長方向２０５に直交又は略直交した状態で、直線状又は略直線状に延びる。段差カットライン２３０は、支持状態の毛束２００の短手側２０１におけるＥ点２３１から、傾斜カットライン２１０のＡ点２１１にかけて延びている。
【００６８】
ここで、段差カットライン２３０の終端であるＡ点２１１を通過し、伸長方向２０５に延びるラインを、境界線２１５とする。第２実施形態の傾斜カットライン２１０は、第１実施形態のヘアカット方法と同様に定められる。すなわち、支持状態の毛束２００における境界線２１５と長手側２０２とに挟まれる部分を、支持状態の毛束全体とみなして、第１実施形態と同様にして傾斜カットラインが定められる。
【００６９】
また、Ｅ点２３１とＡ点２１１との間の幅方向の距離を、Ｈｅａとする。また、Ａ点２１１と長手側２０２との間の幅方向の距離を、Ｈａｄとする。Ｈｅａは、およそＨａｄ／２未満の値となる。
【００７０】
なお、段差カットライン２３０は、傾斜カットライン２１０と反対向きに傾斜していても良い。すなわち、段差カットライン２３０は、長手側２０２に向かうに従い頭皮に近づくように、伸長方向２０５に対し傾斜していても良い。この場合、段差カットライン２３０が、伸長方向２０５に対し直交する方向に対して傾斜する角度の範囲は、およそ０°〜２５°であっても良い。
【００７１】
また、段差カットライン２３０は、傾斜カットライン２１０と同じ向きに傾斜していても良い。すなわち、段差カットライン２３０は、長手側２０２に向かうに従い頭皮から遠ざかるように、伸長方向２０５に対し傾斜していても良い。この場合、段差カットライン２３０が、伸長方向２０５に対し直交する方向に対して傾斜する角度の範囲は、およそ０°〜２５°であっても良い。
【００７２】
なお、第２実施形態のヘアカット方法におけるＳ１１０においても、傾斜カットライン２１０のカットの際に、曲がり鋏３００又は捻り付曲がり鋏４００が用いられても良い。無論、段差カットライン２３０のカットの際にも、曲がり鋏３００又は捻り付曲がり鋏４００が用いられても良い。
【００７３】
［２．効果］
第２実施形態によれば、第１実施形態の効果（１）〜（３）を奏すと共に、さらに、以下の効果を奏する。
【００７４】
すなわち、第２実施形態のヘアカット方法では、傾斜カットライン２１０に加え、段差カットライン２３０が設けられる。このため、Ｓ１００で取り出された各毛束２００における傾斜カットライン２１０に沿ってカットがなされた部分（以後、傾斜部分と記載）は、毛流方向に隣接する他の毛束２００の傾斜部分との間に間隔を有した状態となる。このため、各毛束２００における傾斜部分同士が絡むのを抑制でき、頭髪の手触りや指通りが良好になる。
【００７５】
［他の実施形態］
以上、本開示を実施するための形態について説明したが、本開示は上述の実施形態に限定されることなく、種々変形して実施することができる。
【００７６】
（１）第１，第２実施形態のヘアカット方法では、提供者の人差し指及び中指により毛束の取り出しが行われる。しかしながら、毛束の取り出し方法は、このような方法に限定されない。具体的には、提供者は、例えば、器具等を用いて毛束を取り出しても良い。
【００７７】
（２）第１，第２実施形態における傾斜カットライン２１０は、長手側２０２に向かうに従い頭皮から遠ざかるように傾斜しており、Ａ点２１１〜Ｄ点２１４を有する。しかし、これらの点の数及び位置は、第１，第２実施形態で説明したものに限定されない。また、傾斜カットライン２１０は、その一端が長手側２０２に達しているが、長手側２０２に達していなくても良い。つまり、支持状態となった毛束２００における長手側２０２の付近の頭髪は、カットしないようにしても良い。
【００７８】
（３）第１，第２実施形態のヘアカット方法は、縮毛の頭髪に限らず、様々な髪質の頭髪に適用することができる。このような場合であっても、頭髪を自然に湾曲させることができ、頭髪の見栄えを良くすることができる。
【００７９】
［特許請求の範囲との対応］
第１，第２実施形態のヘアカット方法のＳ１００が取出ステップに、Ｓ１０５が支持ステップに、Ｓ１１０がカットステップに相当する。
【符号の説明】
【００８０】
１…頭皮、２００…毛束、２０１…短手側、２０２…長手側、２０３…支持位置、２０５…伸長方向、２０６…毛流方向、２１０…傾斜カットライン、２３０…段差カットライン、３００…曲がり鋏、３１０…第１刃部、３１１…第２刃部、３２０…第１柄部、３２１…挿入空間、３２１ａ…挿入面、３３０…第２柄部、３３１…挿入空間、３３１ａ…挿入面、３５０…基準面、４００…捻り付曲がり鋏、４１０…第１刃部、４１１…第２刃部、４２０…第１柄部、４２１…挿入空間、４２１ａ…挿入面、４３０…第２柄部、４３１…挿入空間、４３１ａ…挿入面、４５０…基準面、４６０…捻り方向。
【図１】
2018033896.tif 000003
【図２】
2018033896.tif 000004
【図３】
2018033896.tif 000005
【図４】
2018033896.tif 000006
【図５】
2018033896.tif 000007
【図６】
2018033896.tif 000008
【図７】
2018033896.tif 000009
【図８】
2018033896.tif 000010
【図９】
2018033896.tif 000011
【手続補正書】
【提出日】平成29年3月16日(2017.3.16)
【手続補正１】
【補正対象書類名】特許請求の範囲
【補正対象項目名】全文
【補正方法】変更
【補正の内容】
【特許請求の範囲】
【請求項１】
被提供者の縮毛である頭髪をカットするヘアカット方法であって、
前記被提供者の頭部の側面における上下方向に沿って延びる細長い領域から、前記頭髪の束である毛束を取り出す取出ステップと、
取り出した前記毛束を支持位置にて支持し、該毛束を、該毛束の幅方向の一方が上側に位置すると共に該幅方向の他方が下側に位置する状態で帯状に広がり、且つ、前記支持位置から該毛束の根元に向かう伸長方向に延びた状態とする支持ステップと、
支持された前記毛束を、前記伸長方向に対し傾斜する傾斜カットラインに沿って、前記下側から前記上側に向かってカットするカットステップと、を備え、
前記傾斜カットラインは、前記上側に向かうに従い、前記側面から遠ざかるように傾斜するラインである
ヘアカット方法。
【請求項２】
請求項１に記載のヘアカット方法において、
前記傾斜カットラインは、前記上側に向かうに従い前記伸長方向に対して傾斜する度合いが小さくなる
ヘアカット方法。
【請求項３】
請求項１又は請求項２に記載のヘアカット方法において、
前記カットステップにおいて、支持された前記毛束を、さらに、該毛束の前記下側から前記傾斜カットラインの一端にかけて延びる段差カットラインに沿ってカットし、
前記段差カットラインは、前記伸長方向に直交するか、又は、前記上側に向かうに従い前記側面に近づくように前記伸長方向に対し傾斜している
ヘアカット方法。
【請求項４】
請求項１から請求項３のうちのいずれか１項に記載のヘアカット方法において、
前記カットステップでは、曲がり鋏を用いてカットがなされ、
前記曲がり鋏は、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜している
ヘアカット方法。
【請求項５】
請求項４に記載のヘアカット方法において、
２つの前記柄部のうちの一方から他方に向かう方向を、捻り方向とし、
前記挿入面は、さらに、前記捻り方向に向かうに従い前記基準面に近づくように前記基準面に対し傾斜している
ヘアカット方法。
【請求項６】
予め定められたヘアカット方法で頭髪をカットするための鋏である捻り付曲がり鋏であって、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜しており、
２つの前記柄部のうちの一方から他方に向かう方向を、捻り方向とし、
前記挿入面は、さらに、前記捻り方向に向かうに従い前記基準面に近づくように前記基準面に対し傾斜しており、
前記ヘアカット方法は、被提供者の縮毛である前記頭髪をカットする方法であって、
前記被提供者の頭部の側面における上下方向に沿って延びる細長い領域から、前記頭髪の束である毛束を取り出す取出ステップと、
取り出した前記毛束を支持位置にて支持し、該毛束を、該毛束の幅方向の一方が上側に位置すると共に該幅方向の他方が下側に位置する状態で帯状に広がり、且つ、前記支持位置から該毛束の根元に向かう伸長方向に延びた状態とする支持ステップと、
支持された前記毛束を、前記伸長方向に対し傾斜する傾斜カットラインに沿って、前記下側から前記上側に向かってカットするカットステップと、を備え、
前記傾斜カットラインは、前記上側に向かうに従い、前記側面から遠ざかるように傾斜するラインである
捻り付曲がり鋏。
【手続補正書】
【提出日】平成29年5月31日(2017.5.31)
【手続補正１】
【補正対象書類名】特許請求の範囲
【補正対象項目名】全文
【補正方法】変更
【補正の内容】
【特許請求の範囲】
【請求項１】
被提供者の縮毛である頭髪をカットするヘアカット方法であって、
前記被提供者の頭部の側面における上下方向に沿って延びる細長い領域から、前記頭髪の束である毛束を取り出す取出ステップと、
取り出した前記毛束を支持位置にて支持し、該毛束を、該毛束の根元から前記支持位置にわたってその幅方向が前記上下方向に沿うように帯状に広がり、且つ、前記支持位置から該毛束の根元に向かう伸長方向に延びた状態とする支持ステップと、
支持された前記毛束を、前記伸長方向に対し傾斜する傾斜カットラインに沿って、前記幅方向の下側に位置する端部から前記幅方向の上側に位置する端部に向かう方向にカットするカットステップと、を備え、
前記傾斜カットラインは、前記上側に位置する端部に向かうに従い、前記側面から遠ざかるように傾斜するラインであり、前記傾斜カットラインの前記下側の端部は、前記側面と前記支持位置との間に位置する
ヘアカット方法。
【請求項２】
請求項１に記載のヘアカット方法において、
前記傾斜カットラインは、前記上側に位置する端部に向かうに従い前記伸長方向に対して傾斜する度合いが小さくなる
ヘアカット方法。
【請求項３】
請求項１又は請求項２に記載のヘアカット方法において、
前記カットステップにおいて、支持された前記毛束を、さらに、該毛束の前記下側に位置する端部から前記傾斜カットラインの一端にかけて延びる段差カットラインに沿ってカットし、
前記段差カットラインは、前記伸長方向に直交するか、又は、前記上側に位置する端部に向かうに従い前記側面に近づくように前記伸長方向に対し傾斜している
ヘアカット方法。
【請求項４】
請求項１から請求項３のうちのいずれか１項に記載のヘアカット方法において、
前記カットステップでは、曲がり鋏を用いてカットがなされ、
前記曲がり鋏は、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜している
ヘアカット方法。
【請求項５】
請求項４に記載のヘアカット方法において、
２つの前記柄部のうちの一方から他方に向かう方向を、捻り方向とし、
前記挿入面は、さらに、前記捻り方向に向かうに従い前記基準面に近づくように前記基準面に対し傾斜している
ヘアカット方法。
【請求項６】
予め定められたヘアカット方法で頭髪をカットするための鋏である捻り付曲がり鋏であって、
前記頭髪を挟んで切断する２つの刃部と、
それぞれの前記刃部の根元から延びる２つの柄部と、を備え、
２つの前記柄部は、それぞれ、指が配される挿入空間を有しており、前記挿入空間に配された指から加えられた力により、該柄部に繋がっている前記刃部を変位させることで、前記切断を行い、
前記挿入空間は、予め定められた挿入面に沿って広がっており、
２つの前記刃部における少なくとも先端を含む部分は、前記切断を行う際、予め定められた基準面に沿って変位し、
前記挿入面は、前記刃部の先端から離れるに従い前記基準面から遠ざかるように、前記基準面に対し傾斜しており、
２つの前記柄部のうちの一方から他方に向かう方向を、捻り方向とし、
前記挿入面は、さらに、前記捻り方向に向かうに従い前記基準面に近づくように前記基準面に対し傾斜しており、
前記ヘアカット方法は、被提供者の縮毛である前記頭髪をカットする方法であって、
前記被提供者の頭部の側面における上下方向に沿って延びる細長い領域から、前記頭髪の束である毛束を取り出す取出ステップと、
取り出した前記毛束を支持位置にて支持し、該毛束を、該毛束の根元から前記支持位置にわたってその幅方向が前記上下方向に沿うように帯状に広がり、且つ、前記支持位置から該毛束の根元に向かう伸長方向に延びた状態とする支持ステップと、
支持された前記毛束を、前記伸長方向に対し傾斜する傾斜カットラインに沿って、前記幅方向の下側に位置する端部から前記幅方向の上側に位置する端部に向かう方向にカットするカットステップと、を備え、
前記傾斜カットラインは、前記上側に位置する端部に向かうに従い、前記側面から遠ざかるように傾斜するラインであり、前記傾斜カットラインの前記下側の端部は、前記側面と前記支持位置との間に位置する
捻り付曲がり鋏。